(57)【要約】【課題】自動で継続的に流水中の含有イオン濃度変化を検出することができる水質検査装置を提供すること。【解決手段】水質検査装置１は供給経路から分岐した検査用分岐経路２内に配設された逆浸透膜手段３と含有イオンを検出するイオン検査手段４とから構成されている。イオン検査手段４は白色光を発光する発光部４３と発光部４３から発光され透過水、濃縮水中を透過した光により含有イオンの色成分を検出する色センサ部４４と色センサ部４４で検出された色成分を表示する表示部４６とから構成されている。発光部４３は濃縮水の流水経路４１の第一の透過窓を介して濃縮水中に白色光を発光する。色センサ部４４は濃縮水の流水経路４１の第二の透過窓を介して発光部４３から発光された光を受光する。【選択図】図２
2015108525.tif 000002
【特許請求の範囲】
【請求項１】
水の水質を検査するための水質検査装置であって、
水の主流から分岐した検査用分岐経路内に配設された逆浸透膜手段と、流水中の色検出の有無により流水中の含有イオンを検出するイオン検査手段と、から構成され、
該イオン検査手段は、白色光を発光する発光部と、該発光部から発光され流水中を透過した光により含有イオンの色成分を検出する色センサ部と、該色センサ部で検出された色成分を表示する表示部と、から構成され、
該逆浸透膜手段により濃縮された濃縮水の流水経路には、白色光を透過する第一の透過窓及び該第一の透過窓と流水経路の流水を挟んで対向して形成され白色光を透過する第二の透過窓が形成され、
該発光部は該第一の透過窓を介して流水中に白色光を発光し、該色センサ部は、該第二の透過窓を介して該発光部から発光された光を受光すること、を特徴とする水質検査装置。
【請求項２】
該逆浸透膜手段を透過した透過水の流水経路には、白色光を透過する第三の透過窓及び該第三の透過窓と流水経路の流水を挟んで対向して形成され白色光を透過する第四の透過窓が形成され、該発光部は該第三の透過窓を介して透過水の流水経路中の流水中に白色光を発光し、該色センサ部は、該第四の透過窓を介して該発光部から発光された光を受光し、
該イオン検査手段は、該発光部及び該色センサ部を、該濃縮水の流水経路内の該第一の透過窓及び該第二の透過窓と該透過水の流水経路内の第三の透過窓及び該第四の透過窓とに所定時間毎に選択的に位置付ける位置付け手段を備え、
該所定時間毎に該透過水の流水経路の色成分を基準に該濃縮水の流水径路の色成分の検出を行うことを特徴とする請求項１記載の水質検査装置。
【発明の詳細な説明】
【技術分野】
【０００１】
本発明は、水の水質を検査可能な水質検査装置に関する。
【背景技術】
【０００２】
通常、化学工業、機械工業における機器や原材料、製品の洗浄には、不純物が取り除かれた純水が使用される。洗浄に市水（上水）を使用すると、市水に含まれる微量の不純物が洗浄対象物に付着して残ってしまうためである。特に、半導体デバイスの製造プロセスにおいては、ごく微量の不純物がデバイス上に残っていても品質に重大な影響を及ぼすために、純水より更に純度の高い超純水が用いられている。ここで、純水とは比抵抗値が約１〜１０ＭΩ・ｃｍの水を指し、超純水とは比抵抗値が約１０ＭΩ・ｃｍ以上の水を指す。
【０００３】
例えば、純水は市水をフィルタ、活性炭フィルタ、イオン交換樹脂や逆浸透膜に通過させることで生成される（特許文献１参照）。一般に、半導体デバイス製造工場などでは、これらの純水精製装置を工場施設内に設けて、市水、工業用水、時には地下水等を引き入れて純水精製装置で生成することで、工場全体の純水・超純水をまかなっている。
【０００４】
そのため、工場内に供給される市水、工業用水、地下水等は定期的にサンプリングを行い、その成分分析等を行い水質検査を行っている。
【先行技術文献】
【特許文献】
【０００５】
【特許文献１】特開２０００−１８９７６０号公報
【発明の概要】
【発明が解決しようとする課題】
【０００６】
しかし、供給される市水、工業用水、地下水は、その時々の気象状況やその他工場の外部環境の変化により不純物の含有状態も変化するものである。このために、従来のサンプリングによる水質検査において例えば半導体デバイスに悪影響を与える重金属などの成分が増大している結果が出たとしても、いつの時点で半導体デバイスに悪影響を与える重金属などの成分が増大したかを把握することは困難であった。即ち、従来のサンプリングによる水質検査では、市水、工業用水、地下水などの含有イオン濃度変化を直ちに把握することが困難であった。
【０００７】
本発明は、上記問題にかんがみなされたもので、その目的は、自動で継続的に流水中の含有イオン濃度変化を検出することができる水質検査装置を提供することである。
【課題を解決するための手段】
【０００８】
上述した課題を解決し、目的を達成するために、本発明の水質検査装置は、水の水質を検査するための水質検査装置であって、水の主流から分岐した検査用分岐経路内に配設された逆浸透膜手段と、流水中の色検出の有無により流水中の含有イオンを検出するイオン検査手段と、から構成され、該イオン検査手段は、白色光を発光する発光部と、該発光部から発光され流水中を透過した光により含有イオンの色成分を検出する色センサ部と、該色センサ部で検出された色成分を表示する表示部と、から構成され、該逆浸透膜手段により濃縮された濃縮水の流水経路には、白色光を透過する第一の透過窓及び該第一の透過窓と流水経路の流水を挟んで対向して形成され白色光を透過する第二の透過窓が形成され、該発光部は該第一の透過窓を介して流水中に白色光を発光し、該色センサ部は、該第二の透過窓を介して該発光部から発光された光を受光することを特徴とする。
【０００９】
また、上記水質検査装置は、該逆浸透膜手段を透過した透過水の流水経路には、白色光を透過する第三の透過窓及び該第三の透過窓と流水経路の流水を挟んで対向して形成され白色光を透過する第四の透過窓が形成され、該発光部は該第三の透過窓を介して透過水の流水経路中の流水中に白色光を発光し、該色センサ部は、該第四の透過窓を介して該発光部から発光された光を受光し、該イオン検査手段は、該発光部及び該色センサ部を、該濃縮水の流水経路内の該第一の透過窓及び該第二の透過窓と該透過水の流水経路内の第三の透過窓及び該第四の透過窓とに所定時間毎に選択的に位置付ける位置付け手段を備え、該所定時間毎に該透過水の流水経路の色成分を基準に該濃縮水の流水径路の色成分の検出を行うことが望ましい。
【発明の効果】
【００１０】
本発明の水質検査装置は、逆浸透膜手段により水のイオンの濃度を数十倍に濃縮させ、その濃縮水の色成分を色センサ部で検出するので、試薬を使わずに簡易な構成で継続的に含有イオン濃度の変化の検出を直ちに行うことができる。
【００１１】
また、透過水の色成分を基準として濃縮水の色成分の変化を同一の色センサ部で検査する構成としたので、色センサ部の校正を行う必要がなく継続的な検査が可能となる。
【図面の簡単な説明】
【００１２】
【図１】図１は、実施形態に係る水質検査装置が用いられる工場設備の構成の一例を示す図である。
【図２】図２は、実施形態に係る水質検査装置の構成例を示す図である。
【図３】図３は、実施形態に係る水質検査装置の透過水流水経路内の透過水のイオンを検出する状態を示す図である。
【図４】図４は、実施形態に係る水質検査装置の濃縮水流水経路内の濃縮水のイオンを検出する状態を示す図である。
【図５】図５（ａ）は、実施形態に係る水質検査装置の透過水流水経路内の透過水の検出結果の一例を示す図であり、図５（ｂ）は、実施形態に係る水質検査装置の濃縮水流水経路内の濃縮水の検出結果の一例を示す図である。
【図６】図６は、実施形態に係る水質検査装置の制御手段のフローチャートの一例である。
【発明を実施するための形態】
【００１３】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１４】
〔実施形態〕
実施形態に係る水質検査装置を、図１から図６に基づいて説明する。図１は、実施形態に係る水質検査装置が用いられる工場設備の構成の一例を示す図である。図２は、実施形態に係る水質検査装置の構成例を示す図である。図３は、実施形態に係る水質検査装置の透過水流水経路内の透過水のイオンを検出する状態を示す図である。図４は、実施形態に係る水質検査装置の濃縮水流水経路内の濃縮水のイオンを検出する状態を示す図である。図５（ａ）は、実施形態に係る水質検査装置の透過水流水経路内の透過水の検出結果の一例を示す図であり、図５（ｂ）は、実施形態に係る水質検査装置の濃縮水流水経路内の濃縮水の検出結果の一例を示す図である。図６は、実施形態に係る水質検査装置の制御手段のフローチャートの一例である。
【００１５】
実施形態に係る水質検査装置１は、不純物を除去された上水（特許請求の範囲の水に相当）内の銅イオンや銀イオンなどのイオンの濃度の変化を検出する装置である。水質検査装置１は、例えば、図１に示される工場設備１００に設置される。工場設備１００は、上水道などの市水供給源１０１から供給された上水を純水または超純水に精製した後、研削装置、切削装置や研磨装置などの各種の加工装置１０２に供給する設備である。なお、上水とは、水から異物を除去したものをいい、例えば、水道水、工業用水、地下水などをいう。
【００１６】
工場設備１００は、図１に示すように、市水供給源１０１から供給経路１０３（水の主流に相当）を通して上水が供給される純水精製装置１０４と、純水精製装置１０４からの純水または超純水を加工に用いる加工装置１０２と、水質検査装置１とを備えている。純水精製装置１０４は、上水を純水または超純水に精製するものであって、精製用のフィルタなどを備えている。フィルタは、純水または超純水の精製により上水の含有イオンなどからなる堆積物が堆積する。フィルタは、許容できる堆積物の量などに応じた寿命が予め設定されている。純水精製装置１０４は、精製した純水または超純水を加工装置１０２に供給する。加工装置１０２は、純水精製装置１０４からの純水または超純水を用いて、被加工物を研削加工などの加工するものである。なお、加工装置１０２の加工対象としての被加工物は、純水、超純水を用いて加工されることが要求される半導体デバイスなどである。加工装置１０２は、純水精製装置１０４からの純水または超純水を加工に用い、加工中に発生した研削屑などを含んだ加工水を再度、純水精製装置１０４に供給する。また、純水精製装置１０４は、加工装置１０２から供給された加工水を再度純水または超純水に精製して、加工装置１０２に供給する。
【００１７】
水質検査装置１は、上水の水質を検査するためのものであって、図１に示すように、市水供給源１０１から純水精製装置１０４に上水を供給する供給経路１０３から分岐した検査用分岐経路２を通して上水が供給される。なお、検査用分岐経路２には、図示しない開閉バルブが設けられている。水質検査装置１は、図２に示すように、検査用分岐経路２内に配設された逆浸透膜手段３と、上水の流水中の色検出の有無により流水中の含有イオンを検出するイオン検査手段４とから構成されている。
【００１８】
逆浸透膜手段３は、上水を透過させる逆浸透膜３１（所謂ＲＯ膜）を備えている。逆浸透膜手段３は、逆浸透膜３１を透過できなかった含有イオンの濃度が濃縮させた濃縮水と、逆浸透膜３１を透過した上水からなる透過水と、に上水を分離する。このために、濃縮水は、上水のイオン濃度が濃縮されたものであり、透過水は、上水からイオンがほとんど除去されたものである。なお、逆浸透膜手段３は、上水の含有イオン濃度を数十倍に濃縮して、濃縮水を得るのが望ましい。
【００１９】
イオン検査手段４は、図２に示すように、濃縮水を流す濃縮水の流水経路４１と、透過水を流す透過水の流水経路４２と、白色光を発光する発光部４３と、色センサ部４４と、位置付け手段４５と、表示部４６と、制御手段４７などから構成されている。なお、本発明でいう白色光とは、波長が３６０ｎｍ〜８３０ｎｍであり、かつ赤色光と緑色光と青色光を含んだ可視光線をいう。即ち、発光部４３は、波長が３６０ｎｍ〜８３０ｎｍまでの可視光線を発光する。
【００２０】
濃縮水の流水経路４１は、逆浸透膜手段３により濃縮された濃縮水が供給される。濃縮水の流水経路４１には、図３及び図４に示すように、白色光を透過する第一の透過窓４１ａ及び第一の透過窓４１ａと流水経路４１内の流水としての濃縮水を挟んで対向して形成されかつ白色光を透過する第二の透過窓４１ｂが形成されている。第一の透過窓４１ａ及び第二の透過窓４１ｂは、透光性を有する石英ガラスで構成されている。また、濃縮水の流水経路４１を通された濃縮水は、外部に排水される。
【００２１】
透過水の流水経路４２は、逆浸透膜手段３を透過した透過水が供給される。透過水の流水経路４２には、図３及び図４に示すように、白色光を透過する第三の透過窓４２ａ及び第三の透過窓４２ａと流水経路４２内の流水としての透過水を挟んで対向して形成されかつ白色光を透過する第四の透過窓４２ｂが形成されている。第三の透過窓４２ａ及び第四の透過窓４２ｂは、透光性を有する石英ガラスで構成されている。また、透過水の流水経路４２を通された透過水は、外部に排水される。
【００２２】
発光部４３は、位置付け手段４５により、第一の透過窓４１ａに対向する位置に位置付けられると、第一の透過窓４１ａを介して濃縮水の流水経路４１内の流水としての濃縮水中に白色光を発光する。また、発光部４３は、位置付け手段４５により、第三の透過窓４２ａに対向する位置に位置付けられると、第三の透過窓４２ａを介して透過水の流水経路４２内の流水としての透過水中に白色光を発光する。
【００２３】
色センサ部４４は、発光部４３から発光されかつ流水としての濃縮水、透過水中を透過した光により濃縮水、透過水の含有イオンのＲ（赤色光）とＧ（緑色光）とＢ（青色光）などの色成分を検出するものである。色センサ部４４は、位置付け手段４５により、第二の透過窓４１ｂを透過した光を受光する位置に位置付けられると、第二の透過窓４１ｂを介して発光部４３から発光された光を受光する。また、色センサ部４４は、位置付け手段４５により、第四の透過窓４２ｂを透過した光を受光する位置に位置付けられると、第四の透過窓４２ｂを介して発光部４３から発光された光を受光する。
【００２４】
色センサ部４４は、濃縮水、透過水中を透過した光のＲ（赤色光）とＧ（緑色光）とＢ（青色光）それぞれの強さを検出する。色センサ部４４は、濃縮水、透過水中を透過した光のＲ（赤色光）とＧ（緑色光）とＢ（青色光）それぞれの強さを検出することで、Ｒ（赤色光）とＧ（緑色光）とＢ（青色光）それぞれを吸収する含有イオンの濃度に応じた色成分を検出する。色センサ部４４は、濃縮水、透過水中を透過した光をＲ（赤色光）とＧ（緑色光）とＢ（青色光）に分光するフィルタやプリズムなどの分光手段と、分光手段により分光されたＲ（赤色光）とＧ（緑色光）とＢ（青色光）それぞれを受光して強さを検出する受光素子などで構成される。色センサ部４４は、検出結果を表示部４６及び制御手段４７に出力する。
【００２５】
位置付け手段４５は、発光部４３及び色センサ部４４を、濃縮水の流水経路４１内の第一の透過窓４１ａ及び第二の透過窓４１ｂと、透過水の流水経路４２内の第三の透過窓４２ａ及び第四の透過窓４２ｂとに所定時間毎に選択的に位置付けるものである。位置付け手段４５は、発光部４３が第一の透過窓４１ａに対向しかつ色センサ部４４が第二の透過窓４１ｂに対向する位置と、発光部４３が第三の透過窓４２ａに対向しかつ色センサ部４４が第四の透過窓４２ｂに対向する位置とに亘って、発光部４３及び色センサ部４４を移動させることができる。位置付け手段４５は、発光部４３が第一の透過窓４１ａに対向しかつ色センサ部４４が第二の透過窓４１ｂに対向する位置と、発光部４３が第三の透過窓４２ａに対向しかつ色センサ部４４が第四の透過窓４２ｂに対向する位置とを所定時間毎に切り替える。
【００２６】
表示部４６は、図５（ａ）及び図５（ｂ）に示すように、色センサ部４４で検出されたＲ（赤色光）とＧ（緑色光）とＢ（青色光）それぞれの色成分を表示するものである。表示部４６は、色センサ部４４で検出されたＲ（赤色光）とＧ（緑色光）とＢ（青色光）それぞれの強さを表示する。本実施形態では、表示部４６は、色センサ部４４で検出されたＲ（赤色光）とＧ（緑色光）とＢ（青色光）それぞれの強さを０〜２５５の２５６段階で表示する。表示部４６は、０から２５５に向かって数字が大きくなるのにしたがって強い光であることを示す。表示部４６は、透過水を透過した光から色センサ部４４で検出されたＲ（赤色光）とＧ（緑色光）とＢ（青色光）それぞれの強さを基準として、濃縮水を透過した光から色センサ部４４で検出されたＲ（赤色光）とＧ（緑色光）とＢ（青色光）それぞれの強さを示す。具体的には、表示部４６は、透過水を透過した光から色センサ部４４で検出されたＲ（赤色光）とＧ（緑色光）とＢ（青色光）それぞれの強さを２５５とし、受光する光がまったくないときを０として、濃縮水を透過した光から色センサ部４４で検出されたＲ（赤色光）とＧ（緑色光）とＢ（青色光）それぞれの強さを０〜２５５の間の数字で表示する。なお、表示部４６には、位置付け手段４５、制御手段４７などから発光部４３及び色センサ部４４の位置を示す情報が入力する。
【００２７】
制御手段４７は、水質検査装置１を構成する上述した構成要素をそれぞれ制御して、水質検査装置１に上水の含有イオンの濃度の変化を検査させるものである。なお、制御手段４７は、例えばＣＰＵ等で構成された演算処理装置やＲＯＭ、ＲＡＭ等を備える図示しないマイクロプロセッサを主体として構成されており、オペレータが検査内容情報などを登録する際に用いる図示しない操作手段と接続されている。
【００２８】
次に、実施形態に係る水質検査装置１の上水の水質を検査する方法を図６を参照して説明する。水質検査装置１は、オペレータが検査内容情報を制御手段４７に登録し、オペレータから検査動作の開始指示があった場合に、水質検査装置１が検査動作を開始する。すると、検査用分岐経路２を通して上水が逆浸透膜手段３に供給され、逆浸透膜手段３が上水を透過水と濃縮水とに分離して、透過水を透過水の流水経路４２に供給し、濃縮水を濃縮水の流水経路４１に供給する。
【００２９】
そして、制御手段４７は、図３に示すように、位置付け手段４５に発光部４３及び色センサ部４４を第三の透過窓４２ａ及び第四の透過窓４２ｂに対向させて、発光部４３から白色光を発光させ、色センサ部４４で発光部４３から発光された光を受光する。制御手段４７は、透過水を透過した光のＲ（赤色光）とＧ（緑色光）とＢ（青色光）それぞれの強さを検出する（ステップＳＴ１）。さらに、表示部４６は、図５（ａ）に示すように、透過水を透過した光のＲ（赤色光）とＧ（緑色光）とＢ（青色光）それぞれの強さが２５５であると表示する。
【００３０】
制御手段４７は、所定時間経過すると、図４に示すように、位置付け手段４５に発光部４３及び色センサ部４４を第一の透過窓４１ａ及び第二の透過窓４１ｂに対向させて、発光部４３から白色光を発光させ、色センサ部４４で発光部４３から発光された光を受光する。制御手段４７は、濃縮水を透過した光のＲ（赤色光）とＧ（緑色光）とＢ（青色光）それぞれの強さを検出する（ステップＳＴ２）。さらに、表示部４６は、図５（ｂ）に示すように、濃縮水を透過した光のＲ（赤色光）とＧ（緑色光）とＢ（青色光）それぞれの強さを、透過水を透過した光のＲ（赤色光）とＧ（緑色光）とＢ（青色光）それぞれの強さを基準にして表示する。
【００３１】
制御手段４７は、透過水を透過した光のＲ（赤色光）とＧ（緑色光）とＢ（青色光）それぞれの強さと濃縮水を透過した光のＲ（赤色光）とＧ（緑色光）とＢ（青色光）それぞれの強さとの差を求め、この差が所定値よりも大きいか否かを判定する（ステップＳＴ３）。制御手段４７は、所定値よりも大きくないと判定する（ステップＳＴ３：Ｎｏ）と、ステップＳＴ１に戻る。なお、所定値は、フィルタの寿命に影響を与える値即ちフィルタに堆積する堆積物が存在する値であることが望ましい。また、前述した差が所定値よりも大きくない即ち上水に含有イオンが非常に少ないまたは全くないと、ステップＳＴ１からステップＳＴ３を繰りかえすこととなる。
【００３２】
制御手段４７は、所定値よりも大きいと判定する（ステップＳＴ３：Ｙｅｓ）と、前述した差の値及び時刻を記録して、ステップＳＴ１に戻る（ステップＳＴ４）。このように、制御手段４７即ち水質検査装置１は、所定時間毎に透過水の流水経路４２の色成分（Ｒ（赤色光）とＧ（緑色光）とＢ（青色光）それぞれの強さ）を基準に、濃縮水の流水経路４１の色成分（Ｒ（赤色光）とＧ（緑色光）とＢ（青色光）それぞれの強さ）の検出を行う。
【００３３】
また、制御手段４７は、所定値よりも大きいと判定した（ステップＳＴ３：Ｙｅｓ）場合には、表示部４６は、例えば、図５（ｂ）に示すように、透過水を透過した光のＲ（赤色光）とＧ（緑色光）とＢ（青色光）それぞれの強さを２５５よりも小さな数字で表示する。なお、図５（ｂ）に示された場合では、主にＲ（赤色光）が濃縮水に吸収されているために、濃縮水は、例えば銅イオンなどのＲ（赤色光）を吸収するイオンを含有していることを示している。そして、制御手段４７が所定値よりも大きいと判定した（ステップＳＴ３：Ｙｅｓ）場合には、前述した差が所定値を超えた時点の上水を別途サンプリングして、上水内の含有イオンの濃度及び物質名の特定を行う。また、本発明では、制御手段４７は、記録した差の値及び時刻の情報に基づいて、純水精製装置１０４のフィルタの寿命のデフォルト値の補正、フィルタの寿命のデフォルト値の推定、上水内の含有イオンの濃度などを推定してもよい。
【００３４】
以上のように、実施形態に係る水質検査装置１によれば、逆浸透膜手段３により上水の含有イオン濃度を数十倍に濃縮した濃縮水を濃縮水の流水経路４１に流しながら色センサ部４４で発光部４３からの光を受光する。このように、水質検査装置１は、逆浸透膜手段３により上水の含有イオン濃度を数十倍に濃縮した濃縮水を透過した光を受光するので、上水の含有イオンの濃度の変化を直ちに検出することができる。
【００３５】
また、水質検査装置１は、濃縮水を濃縮水の流水経路４１に流しながら透過した光を受光することができるので、濃縮水即ち上水を流しながらの含有イオンの濃度が変化したことを検出でき、自動で継続的に流水としての上水中の含有イオン濃度変化を検出することができる。
【００３６】
さらに、水質検査装置１は、逆浸透膜手段３により上水の含有イオン濃度を数十倍に濃縮した濃縮水を透過した光を受光するので、上水の含有イオンの濃度の変化を検出するために、試薬を用いる必要がない。したがって、水質検査装置１は、簡易な構成で継続的に含有イオン濃度の変化の検出を直ちに行うことができる。
【００３７】
また、水質検査装置１は、色センサ部４４が透過水を透過した光と濃縮水を透過した光とを交互に所定時間毎に受光して、透過水の色成分を基準として濃縮水の色成分を検出する。このために、水質検査装置１は、色センサ部４４の受光する光の強さに対する色センサ部４４から出力する信号の調整、即ち、色センサ部４４の校正を行う必要がなく継続的な検査が可能となる。また、水質検査装置１は、色センサ部４４が透過水の色成分を基準として濃縮水の色成分を検出するために、色センサ部４４に異物等が付着した際の誤検出を抑制できる。さらに、水質検査装置１は、色センサ部４４が透過水の色成分を基準として濃縮水の色成分を検出するために、逆浸透膜３１の破損を検出することもできる。
【００３８】
なお、本発明は上記実施形態に限定されるものではない。即ち、本発明の骨子を逸脱しない範囲で種々変形して実施することができる。
【符号の説明】
【００３９】
１  水質検査装置
２  検査用分岐経路
３  逆浸透膜手段
４  イオン検査手段
４１  濃縮水の流水経路
４１ａ  第一の透過窓
４１ｂ  第二の透過窓
４２  透過水の流水経路
４２ａ  第三の透過窓
４２ｂ  第四の透過窓
４３  発光部
４４  色センサ部
４５  位置付け手段
４６  表示部
１０３  供給経路（水の主流）
【図１】
2015108525.tif 000003
【図２】
2015108525.tif 000004
【図３】
2015108525.tif 000005
【図４】
2015108525.tif 000006
【図５】
2015108525.tif 000007
【図６】
2015108525.tif 000008